【手続補正書】
【提出日】平成25年3月4日(2013.3.4)
【手続補正１】
【補正対象書類名】明細書
【補正対象項目名】発明の名称
【補正方法】変更
【補正の内容】
【発明の名称】タッチセンサおよび表示装置
【手続補正２】
【補正対象書類名】明細書
【補正対象項目名】０００１
【補正方法】変更
【補正の内容】
【０００１】
本開示は、液晶表示装置等の表示装置に係わり、特に、ユーザが指等で接触または近接することにより情報入力が可能な静電容量式のタッチセンサ、ならびにそのようなタッチセンサを備えた表示装置に関する。
【手続補正３】
【補正対象書類名】明細書
【補正対象項目名】０００９
【補正方法】変更
【補正の内容】
【０００９】
本特許出願の開示はかかる問題点に鑑みてなされたもので、本開示の目的は、適切な物体検出を行うことが可能な静電容量型のタッチセンサ、ならびにそのようなタッチセンサを備えた表示装置を提供することにある。
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】特許請求の範囲
【補正対象項目名】全文
【補正方法】変更
【補正の内容】
【特許請求の範囲】
【請求項１】
第１の駆動信号を生成する第１の信号源と、
前記第１の信号源からの前記第１の駆動信号を受け取る第１の駆動電極と、
前記第１の駆動電極に隣接して配置され、前記第１の駆動信号によって駆動された第１の出力信号を生成する第１の検出電極と、
前記第１の駆動電極と前記第１の検出電極との間に設けられ、第１の容量領域を規定する誘電体材料と、
前記第１の検出電極に電気的に接続され、前記第１の出力信号を検出する検出回路と、
前記第１の検出電極に電気的に接続され、第１の状態と第２の状態とを有するスイッチ素子と
を備え、
前記スイッチ素子は、前記第１の状態のときに前記第１の検出電極を所定の電圧にさせ、前記第２の状態のときに前記第１の検出電極をフローティング状態にさせ、前記スイッチ素子を前記第１の状態と前記第２の状態との間で交互に切り換えるためのタイミング制御信号を受け取り、
前記検出回路は、前記第１の出力信号を信号しきい値と比較することにより、前記第１の容量領域がタッチ状態にあったか否かを示す第１の検出結果を得る
タッチセンサ装置。
【請求項２】
さらに、
第２の駆動信号を生成する第２の信号源と、
前記第２の信号源からの前記第２の駆動信号を受け取る第２の駆動電極と、
を備え、
前記第１の検出電極が、前記第２の駆動電極に隣接して配置され、
前記誘電体材料が、前記第２の駆動電極と前記第１の検出電極との間に設けられ、第２の容量領域を規定し、
前記第１の検出電極が、前記第２の駆動信号によって駆動された第２の出力信号を生成し、
前記検出回路が、前記第２の出力信号を検出し、
前記スイッチ素子が、前記第１の状態のときに前記第２の検出電極を所定の電圧レベルにさせ、前記第２の状態のときに前記第２の検出電極をフローティング状態にさせ、
前記検出回路が、前記第２の出力信号を前記信号しきい値と比較することにより、前記第２の容量領域が前記タッチ状態にあったか否かを示す第２の検出結果を得る、
請求項１に記載のタッチセンサ装置。
【請求項３】
前記第１の駆動信号と前記第２の駆動信号とが、前記第１の駆動電極と前記第２の駆動電極とに順次印加され、
前記第１の出力信号と前記第２の出力信号とが、順次印加されている前記第１の駆動信号と前記第２の駆動信号とに対応して順次検出される、
請求項２に記載のタッチセンサ装置。
【請求項４】
第２の検出電極が、前記第１の駆動電極と前記第２の駆動電極とに隣接して配置され、前記第１の駆動信号によって駆動された第３の出力信号と、前記第２の駆動信号によって駆動された第４の出力信号とを生成し、
前記誘電体材料が、前記第２の検出電極と前記第１の駆動電極との間に設けられ、第３の容量領域を規定し、
前記誘電体材料が、前記第２の検出電極と前記第２の駆動電極との間に設けられ、第４の容量領域を規定し、
前記検出回路が、前記第２の検出電極に電気的に接続され、前記第３の出力信号と前記第４の出力信号とを検出し、
前記スイッチ素子が、前記第２の検出電極に電気的に接続され、前記第１の状態のときに前記第３の検出電極と前記第４の検出電極とを所定の電圧レベルにさせ、前記第２の状態のときに前記第３の検出電極と前記第４の検出電極とをフローティング状態にさせ、
前記検出回路が、前記第３の出力信号を前記信号しきい値と比較することにより、前記第３の容量領域が前記タッチ状態にあったか否かを示す第３の検出結果を得て、
前記検出回路が、前記第４の出力信号を前記信号しきい値と比較することにより、前記第４の容量領域が前記タッチ状態にあったか否かを示す第４の検出結果を得る、
請求項３に記載のタッチセンサ装置。
【請求項５】
前記第１の出力信号と、前記第２の出力信号と、前記第３の出力信号と、前記第４の出力信号とが、前記第１の検出電極と前記第２の検出電極とによって順次検出される、
請求項４に記載のタッチセンサ装置。
【請求項６】
前記スイッチ素子が、前記第１の検出電極用の第１のスイッチと、前記第２の検出電極用の第２のスイッチとを有する、
請求項５に記載のタッチセンサ装置。
【請求項７】
前記スイッチ素子が、タイミング制御回路から前記タイミング制御信号を受け取り、
前記タイミング制御回路は、さらに、前記第１の信号源を制御するために前記第１の駆動信号がオンのときに前記第１の信号源にタイミング制御信号を送出し、前記第２の信号源を制御するために前記第２の駆動信号がオンのときに前記第２の信号源にタイミング制御信号を送出し、サンプリングタイミングを制御するために前記検出回路におけるＡ／Ｄ変換部にタイミング制御信号を送出する、
請求項５に記載のタッチセンサ装置。
【請求項８】
前記第１の検出電極が、表示装置の一部である、
請求項１に記載のタッチセンサ装置。
【請求項９】
前記第１の信号源が、表示制御回路に設けられ、前記第１の駆動電極が、前記第１の駆動信号を受け取る表示用共通電圧電極であり、これにより前記表示制御回路が、画像信号に基づく画像を表示するために前記表示用共通電圧電極と画素電極との間に印加される電圧を制御する、
請求項１に記載のタッチセンサ装置。
【請求項１０】
前記検出回路が、画素基板上の周辺領域に形成され、表示制御用の回路素子と一体に集積されている、
請求項１に記載のタッチセンサ装置。
【請求項１１】
前記検出回路が、増幅部と、フィルタ部と、整流部と、平滑部と、Ａ／Ｄ変換部と、信号処理部と、座標抽出部との少なくとも１つを含む、
請求項１に記載のタッチセンサ装置。
【請求項１２】
前記スイッチ素子の前記所定の電圧レベルが、接地電圧である、請求項１に記載のタッチセンサ装置。
【請求項１３】
さらに、
前記スイッチ素子に電気的に接続され、前記所定の電圧レベルを供給するプリチャージ電源を備え、
前記プリチャージ電源が、第１の所定の電圧レベルと、第２の所定の電圧レベルとを順次供給する、
請求項１に記載のタッチセンサ装置。
【請求項１４】
さらに、
前記第１の駆動電極に隣接し、前記第１の検出電極から第１の方向に変位した位置に配置された第２の検出電極と、
前記第１の駆動電極に隣接し、前記第１の検出電極から第２の方向に変位した位置に配置された第３の検出電極と、
前記第１の駆動電極に隣接し、前記第２の検出電極から前記第２の方向に変位し、前記第３の検出電極から前記第１の方向に変位した位置に配置された第４の検出電極と、
を備え、
前記誘電体材料が、前記第１の駆動電極と前記第２の検出電極との間に設けられ、第２の容量領域を規定し、前記第１の駆動電極と前記第３の検出電極との間に設けられ、第３の容量領域を規定し、前記第１の駆動電極と前記第４の検出電極との間に設けられ、第４の容量領域を規定し、
前記第２の検出電極が、前記第１の駆動信号によって駆動された第２の出力信号を生成し、
前記第３の検出電極が、前記第１の駆動信号によって駆動された第３の出力信号を生成し、
前記第４の検出電極が、前記第１の駆動信号によって駆動された第４の出力信号を生成し、
前記スイッチ素子が、前記第２の検出電極と、前記第３の検出電極と、前記第４の検出電極とに電気的に接続され、
前記スイッチ素子が、前記第１の状態のときに、前記第２の検出電極と、前記第３の検出電極と、前記第４の検出電極とを所定の電圧レベルにさせ、前記第２の状態のときに、前記第２の検出電極と、前記第３の検出電極と、前記第４の検出電極とをフローティング状態にさせ、
前記検出回路が、前記第２の出力信号を前記信号しきい値と比較することにより、前記第２の容量領域が前記タッチ状態にあったか否かを示す第２の検出結果を得て、
前記検出回路が、前記第３の出力信号を前記信号しきい値と比較することにより、前記第３の容量領域が前記タッチ状態にあったか否かを示す第３の検出結果を得て、
前記検出回路が、前記第４の出力信号を前記信号しきい値と比較することにより、前記第４の容量領域が前記タッチ状態にあったか否かを示す第４の検出結果を得る、
請求項１に記載のタッチセンサ装置。
【請求項１５】
駆動信号を受け取る駆動電極と、
前記駆動電極に隣接して配置され、前記駆動信号によって駆動された出力信号を生成する検出電極と、
前記駆動電極と前記検出電極との間に設けられ、容量領域を規定する誘電体材料と、
前記検出電極に電気的に接続され、前記出力信号を検出する検出回路と、
前記検出電極と、所定の電圧レベルを出力する電圧源との間に電気的に接続され、第１の状態と第２の状態とを有するスイッチ素子と、
画像信号に基づく画像を表示するために、表示用共通電圧電極と画素電極との間に印加される電圧を制御する表示制御回路と
を備え、
前記表示用共通電圧電極が前記駆動電極として機能する
表示装置。
【請求項１６】
前記表示用共通電圧電極と前記画素電極との間に印加される前記電圧によって、横電界モードの液晶素子が変調される、
請求項１５に記載の表示装置。
【請求項１７】
前記スイッチ素子が、前記第１の状態のときに前記検出電極を所定の電圧レベルにさせ、前記第２の状態のときに前記検出電極をフローティング状態にさせ、前記スイッチ素子を前記第１の状態と前記第２の状態との間で交互に切り換えるためのタイミング制御信号を受け取り、
前記検出回路が、前記出力信号を信号しきい値と比較することにより、前記容量領域がタッチ状態にあったか否かを示す検出結果を得る
請求項１５に記載の表示装置。
【請求項１８】
前記画素電極が、前記駆動電極と前記検出電極との間に配置されている、
請求項１５に記載の表示装置。
【請求項１９】
前記電圧源が、接地電圧を供給する、
請求項１５に記載の表示装置。
【請求項２０】
前記電圧源が、第１の所定の電圧レベルと、第２の所定の電圧レベルとを順次供給するプリチャージ電源である、
請求項１５に記載の表示装置。